(57)【特許請求の範囲】
【請求項１】
給水された水を吐出する吐水口と、
前記吐水口近傍の物体の有無を検知する物体検知センサと、
前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、
前記モード切替操作部によって設定された吐水モードと前記物体検知センサの検知状況とに基づいて、前記吐水口からの吐止水動作を制御する制御部と、を備えた自動水栓において、
前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、
前記延長手段は、前記物体検知センサが前記連続吐水モード中に前記物体を検知した期間に基づいて前記所定時間の延長時間を設定することを特徴とする自動水栓。
【請求項２】
給水された水を吐出する吐水口と、
前記吐水口近傍の物体の有無を検知する物体検知センサと、
前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、
前記モード切替操作部によって設定された吐水モードと前記物体検知センサの検知状況とに基づいて、前記吐水口からの吐止水動作を制御する制御部と、を備えた自動水栓において、
前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、
前記延長手段は、前記物体検知センサが前記連続吐水モード中に前記物体を検知した回数に基づいて前記所定時間の延長時間を設定することを特徴とする自動水栓。
【請求項３】
給水された水を吐出する吐水口と、
前記吐水口近傍の物体の有無を検知する物体検知センサと、
前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、
前記モード切替操作部によって設定された吐水モードと前記物体検知センサの検知状況とに基づいて、前記吐水口からの吐止水動作を制御する制御部と、を備えた自動水栓において、
前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、
前記延長手段は、前記物体検知センサが前記連続吐水モード中に前記物体を検知した時刻に基づいて前記所定時間の延長時間を設定することを特徴とする自動水栓。
【請求項４】
給水された水を吐出する吐水口と、
前記吐水口近傍の物体の有無を検知する物体検知センサと、
前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、
前記モード切替操作部によって設定された吐水モードと前記物体検知センサの検知状況とに基づいて、前記吐水口からの吐止水動作を制御する制御部と、を備えた自動水栓において、
前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、
前記延長手段は、前記物体検知センサが前記連続吐水モード中に前記物体を検知した間隔時間に基づいて前記所定時間の延長時間を設定することを特徴とする自動水栓。
【請求項５】
前記延長手段は、前記延長時間の期間中における前記物体検知センサの検知状況に基づいて前記所定時間を更に延長することを特徴とする請求項１から請求項４のいずれか一項に記載の自動水栓。
【請求項６】
前記自動水栓は、前記吐水口からの吐止水を手動で制御する手動吐止水操作部を更に備えていることを特徴とする請求項１から請求項５のいずれか一項に記載の自動水栓。
【請求項７】
前記物体検知センサが有する検知領域は、前記自動吐水モード中よりも前記連続吐水モード中のときの方が広いことを特徴とする請求項１から請求項６のいずれか一項に記載の自動水栓。
【請求項８】
前記自動水栓は、前記物体検知センサを複数備えており、前記延長手段は、前記連続吐水モード中における少なくとも１つ以上の前記物体検知センサの検知状況に基づいて前記所定時間の延長時間を設定することを特徴とする請求項１から請求項７のいずれか一項に記載の自動水栓。
【発明の詳細な説明】
【技術分野】
【０００１】
本発明は、手などの物体を検知するセンサの検知状況に基づいて吐水及び止水を自動的に行う自動水栓において、特に連続吐水機能を備えている自動水栓に関する発明である。 
【背景技術】
【０００２】
吐水口の下方に差し出された手等の物体をセンサが検知すると自動で吐水を開始して、センサが物体を検知しなくなると自動で止水する自動水栓が従来から知られている。
この類の自動水栓は、センサが物体を検知している期間だけ吐水をするので、手洗い行為においては、わざわざ吐水レバーや吐水スイッチを操作する必要がなく、使い勝手がよいとされてきた。
【０００３】
しかしながら、この類の自動水栓では、食器洗い行為や洗顔行為においては、逆に使い勝手が悪くなることもあった。
より具体的には、食器洗い行為については、手や食器が頻繁にセンサの検知領域を出入りするので吐水と止水を頻繁に繰り返してしまっていた。
洗顔行為についても、水を手ですくって顔をすすいでいるときなどは、手が頻繁にセンサの検知領域を出入りするので吐水と止水を頻繁に繰り返してしまっていた。
使用者によっては、これらの行為中は連続的に吐水していた方がむしろ使い勝手がよいとされることがあった。
【０００４】
そこで、この課題を解決する技術として特許文献１と特許文献２が公知となっている。
【０００５】
特許文献１記載の自動水栓では、連続吐水スイッチを備えていて、連続吐水スイッチがオンされるとセンサを利用した自動吐水をキャンセルして一定時間連続吐水することを特徴としている。
【０００６】
また、特許文献２記載の自動水栓では、吐水開始からの継続吐水時間が設定した限度時間を満了したときに吐水停止する自動水栓において、限度時間の満了により吐水停止させるためのタイマ手段をリセットするリセット操作部を設けていることを特徴としている。
こうすることで、連続吐水が可能な自動水栓を提供することができるとしていた。
【先行技術文献】
【特許文献】
【０００７】
【特許文献１】特開平４−２１１７７８号
【特許文献２】特開２００４−２５１０１９号
【発明の概要】
【発明が解決しようとする課題】
【０００８】
しかしながら、これらの特許文献に記載の自動水栓には以下のような課題があった。
特許文献１記載の自動水栓では、連続吐水が一定の時間で終了するため、使用者によっては連続吐水時間が短すぎるといった使い勝手の悪さが残っていた。
また、特許文献２記載の自動水栓では、タイマ手段をリセットさせるためにリセット操作部を操作する必要があり、使用者にとっては手間がかかっていた。
【０００９】
本発明は、上記課題を解決するためになされたもので、本発明の課題は、使用者に余分な操作をさせずに最適時間での連続吐水ができる自動水栓を提供することにある。
【課題を解決するための手段】
【００１０】
上記目的を達成するために請求項１記載の発明によれば、給水された水を吐出する吐水口と、前記吐水口近傍の物体の有無を検知する物体検知センサと、前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、前記モード切替操作部によって設定された吐水モードと前記物体検知センサの検知状況とに基づいて、前記吐水口からの吐止水動作を制御する制御部と、を備えた自動水栓において、前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、前記延長手段は、前記物体検知センサが前記連続吐水モード中に前記物体を検知した期間に基づいて前記所定時間の延長時間を設定することを特徴とする。
【００１１】
これにより、連続吐水モード中に物体を検知したということは、吐水口近傍で使用者が何かしらの行為をしている最中ということであり、その場合は、連続吐水時間を延長することで、その行為中に連続吐水が終了してしまうのを防止することができる。
【００１２】
また、使用者は連続吐水時間を延長させるためにスイッチ操作などの余分な動作を必要とせず、通常通りに使用している中で、自動で吐水時間が延長されることとなる。
このようにして、使用者に余分な操作をさせずに最適時間での連続吐水ができる。
【００１３】
さらに、検知期間に基づいて使用者の使用状況がより詳細に把握できるので、より最適な延長時間が設定できる。
【００１４】
また、請求項２記載の発明によれば、給水された水を吐出する吐水口と、前記吐水口近傍の物体の有無を検知する物体検知センサと、前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、前記モード切替操作部によって設定された吐水モードと前記物体検知センサの検知状況とに基づいて、前記吐水口からの吐止水動作を制御する制御部と、を備えた自動水栓において、前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、前記延長手段は、前記物体検知センサが前記連続吐水モード中に前記物体を検知した回数に基づいて前記所定時間の延長時間を設定することを特徴とする。
これにより、検知回数に基づいて使用者の使用状況がより詳細に把握できるので、より最適な延長時間が設定できる。
【００１５】
また、請求項３記載の発明によれば、給水された水を吐出する吐水口と、前記吐水口近傍の物体の有無を検知する物体検知センサと、前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、前記モード切替操作部によって設定された吐水モードと前記物体検知センサの検知状況とに基づいて、前記吐水口からの吐止水動作を制御する制御部と、を備えた自動水栓において、前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、前記延長手段は、前記物体検知センサが前記連続吐水モード中に前記物体を検知した時刻に基づいて前記所定時間の延長時間を設定することを特徴とする。
これにより、検知時刻に基づいて使用者の使用状況がより詳細に把握できるので、より最適な延長時間が設定できる。
【００１６】
また、請求項４記載の発明によれば、給水された水を吐出する吐水口と、前記吐水口近傍の物体の有無を検知する物体検知センサと、前記物体検知センサによる検知状況に基づいて前記吐水口から吐止水可能な自動吐水モードと、前記物体検知センサの検知状況に関係なく前記吐水口から吐止水可能な連続吐水モードと、を切り替え可能なモード切替操作部と、前記モード切替操作部によって設定された吐水モードと前記物体検知センサの検知状況とに基づいて、前記吐水口からの吐止水動作を制御する制御部と、を備えた自動水栓において、前記制御部は、前記モード切替操作部によって前記自動吐水モードから前記連続吐水モードに切り替えられた時点から所定時間を経過すると前記自動吐水モードに復帰させると共に、前記連続吐水モード中における前記物体検知センサの検知状況に基づいて前記所定時間を延長する延長手段を備えており、前記延長手段は、前記物体検知センサが前記連続吐水モード中に前記物体を検知した間隔時間に基づいて前記所定時間の延長時間を設定することを特徴とする。
これにより、検知間隔時間に基づいて使用者の使用状況がより詳細に把握できるので、より最適な延長時間が設定できる。
【００１７】
また、請求項５記載の発明によれば、前記延長手段は、前記延長時間の期間中における前記物体検知センサの検知状況に基づいて前記所定時間を更に延長することを特徴とする。
これにより、１度の連続吐水時間の延長では時間が足りないような使用時間が長い行為においては、連続吐水の再延長を可能とすることで、使用中に連続吐水が終了してしまうことがない。
【００１８】
また、請求項６記載の発明によれば、前記自動水栓は、前記吐水口からの吐止水を手動で制御する手動吐止水操作部を更に備えていることを特徴とする。
これにより、自動吐水モード中においては不用意な吐水を防止することができ、連続吐水モード中においては使用者の一連行為の中で吐水が不要なタイミングでは一時的に止水することができるので無駄水を防止できる。
【００１９】
また、請求項７記載の発明によれば、前記物体検知センサが有する検知領域は、前記自動吐水モード中よりも前記連続吐水モード中のときの方が広いことを特徴とする。
これにより、連続吐水モード時における使用者の行為をより広範囲に検知することができるので、より確実に連続吐水時間の延長をすることが可能となる。
【００２０】
また、請求項８記載の発明によれば、前記自動水栓は、前記物体検知センサを複数備えており、前記延長手段は、前記連続吐水モード中における少なくとも１つ以上の前記物体検知センサの検知状況に基づいて前記所定時間の延長時間を設定することを特徴とする。
これにより、連続吐水モード時における使用者の行為をより広範囲に検知することができるので、より確実に連続吐水時間の延長をすることが可能となる。
【発明の効果】
【００２１】
本発明によれば、使用者に余分な操作をさせずに最適時間での連続吐水ができる自動水栓を提供することができる。
【図面の簡単な説明】
【００２２】
【図１】本発明の第１の実施形態にかかる自動水栓を例示する模式図である。
【図２】第１の実施形態にかかる自動水栓を例示するブロック図である。
【図３】第１の実施形態にかかる操作パネルを例示する模式図である。
【図４】第１の実施形態にかかる自動水栓の動作を示すフローチャートである。
【図５】第１の実施形態にかかる自動水栓の動作を示すタイムチャートである。
【図６】第２の実施形態にかかる自動水栓の動作を示すフローチャートである。
【図７】第２の実施形態にかかる自動水栓の動作を示すタイムチャートである。
【図８】第３の実施形態にかかる自動水栓の動作を示すフローチャートである。
【図９】第３の実施形態にかかる自動水栓の動作を示すタイムチャートである。
【図１０】第４の実施形態にかかる自動水栓の動作を示すフローチャートである。
【図１１】第４の実施形態にかかる自動水栓の動作を示すタイムチャートである。
【図１２】第５の実施形態にかかる自動水栓の動作を示すフローチャートである。
【図１３】第５の実施形態にかかる自動水栓の動作を示すタイムチャートである。
【図１４】第６の実施形態にかかる自動水栓の動作を示すフローチャートである。
【図１５】第６の実施形態にかかる自動水栓の動作を示すタイムチャートである。
【図１６】第７の実施形態にかかる操作パネルを例示する模式図である。
【図１７】第７の実施形態にかかる自動水栓を例示するブロック図である。
【図１８】第８の実施形態にかかる物体検知センサの検知領域を例示する模式図である。
【図１９】第９の実施形態にかかる自動水栓を例示する模式図である。
【発明を実施するための形態】
【００２３】
以下、本発明の実施の形態について図面を参照しつつ説明する。なお、各図面中、同様の構成要素には同一の符号を付して詳細な説明は適宜省略する。
【００２４】
（第１の実施形態）
まずは、図１、図２、図３を参照しつつ、第１の実施形態による自動水栓の基本構成について説明する。
図１は、本発明の第１の実施形態にかかる自動水栓を例示する模式図である。
図２は、第１の実施形態にかかる自動水栓を例示するブロック図である。
図３は、第１の実施形態にかかる操作パネルを例示する模式図である。
【００２５】
図１に示すように、洗面台１に本発明の実施形態である自動水栓２が設置されている。自動水栓２には、水栓本体４の横に物体検知センサ８が配置されており、この物体検知センサ８により手などの物体を検知して、水栓本体４からの水（水としては適温に加熱された湯水も含む）の吐水、止水を切り替えるように構成されている。
なお、本実施形態の自動水栓２は、洗面台１以外にも、例えばキッチンといった、吐水が必要な場所に設置することができる。
【００２６】
図２に示すように、自動水栓２は、給水源２８と、水栓本体４と、物体検知センサ８と、電磁弁２６と、物体検知センサ８からの検知信号に基づいて電磁弁２６を駆動する制御部２４とを有している。更には、自動水栓２の吐水モードを切り替えるためのモード切替操作部として、モード切替スイッチ５１を有している。制御部２４は、モード切替スイッチ５１によって切り替えられた吐水モードに基づいても電磁弁２６を駆動する。給水源２８からは水又は湯水が供給されており、給水ホース５２と給水ホース５３に接続された電磁弁２６を経由して水栓本体４の吐水口３０から水又は湯水が吐水される。
【００２７】
物体検知センサ８は、吐水口３０近傍に差し出される使用者の手などの物体の有無を検知するように、検知領域１２を持っている。
なお、物体検知センサ８は、例えば赤外線の投光素子２０と受光素子２２とを有した反射式積分型センサなどと呼ばれるセンサである。但し、センサの種類はこれに限られるわけではなく、マイクロ波方式センサや超音波式センサや測距式光電センサなどに適宜変更してもよい。
【００２８】
物体検知センサ８の投光素子２０から投光された光は、例えばボウル部４３や使用者の手などによって反射され、この反射光を受光素子２２が受光する。物体検知センサ８は、受光素子２２が受光した反射レベルを、予め設定されたしきい値と比較して、しきい値以上であれば物体有りと判断し、しきい値未満であれば物体無しと判断して、その検知結果を電気信号として配線５６を通して制御部２４に出力する。
【００２９】
なお、物体検知センサ８の投光素子２０は、所定の投光軸線方向に赤外線を投光するように構成されており、赤外線の強度は、この投光軸から外れるに従って低下する。本実施形態においては、投光軸線上の赤外線の強度が、半分に低下する、投光軸線を中心軸とする略円錐形状に広がる領域が、物体検知センサ８の検知領域１２として機能している。また、検知領域１２は、投光素子２０の指向性や、受光素子２２が受光した反射光を人体等の検知と判定するしきい値などによって変更することができる。
【００３０】
制御部２４は、洗面台１の下部に設けられており、物体検知センサ８と、電磁弁２６と、モード切替スイッチ５１とは電気信号を伝送するそれぞれの配線５６と、配線５５と、配線５４とによって接続されている。制御部２４は、物体検知センサ８から入力された検知信号、又はモード切替スイッチ５１の入力信号に基づいて、電磁弁２６を開閉駆動する。また、制御部２４は、連続吐水時間を延長するための延長手段５７を内蔵している。
なお、制御部２４は、マイクロプロセッサ、メモリ、及びこれらを作動させるプログラム等（以上図示せず）により構成することができる。
【００３１】
図３に示すように、モード切替スイッチ５１は操作パネル５０に設けられている。なお、本実施形態では、モード切替操作部として押ボタン式のモード切替スイッチ５１を例示しているが、これに限られるわけではなく、スライド式スイッチ、ダイヤル式スイッチ、静電容量センサ方式スイッチなどに適宜変更してもよい。
モード切替スイッチ５１を押す毎に、吐水モードが自動吐水モードと連続吐水モードに交互に切り替わる。
【００３２】
自動吐水モードとは物体検知センサ８の検知状況に基づいて吐水口３０から吐止水可能な吐水モードのことであり、連続吐水モードとは物体検知センサ８の検知状況に関係なく吐水口３０から吐止水可能な吐水モードのことである。より具体的には、自動吐水モードは、物体検知センサ８が物体を検知すると電磁弁２６を開駆動して吐水し、非検知になると電磁弁２６を閉駆動して止水する。連続吐水モードは、モードに入ると電磁弁２６を開駆動して吐水し、モードを抜けると電磁弁２６を閉駆動して止水する。
【００３３】
以下、本実施形態の具体例について図面を参照しつつ説明する。
図４は、第１の実施形態にかかる自動水栓の動作を示すフローチャートである。図４に示すフローチャートは、物体検知センサ８の検出処理と、モード切替スイッチ５１による吐水モードの切り替え処理が遅滞なく制御できるように、周期的に繰り返し実行される。
【００３４】
まず、最初にモード切替スイッチ５１の操作によって吐水モードの切替操作をされたか否かをチェックする（Ｓ１００）。切替操作をされていなかった場合（Ｓ１００のＮＯ）、ステップＳ１０２へ進み、切替操作をされていた場合（Ｓ１００のＹＥＳ）、吐水モードを切り替えて（Ｓ１０１）、ステップＳ１０２へ進む。具体的には、モード切替スイッチ５１を操作する直前が自動吐水モードであったときは連続吐水モードに切り替え、反対に連続吐水モードであったときは自動吐水モードに切り替える。
【００３５】
ステップＳ１０２では、現在の吐水モードの判定を行い、自動吐水モードであれば、物体検知センサ８を駆動させる（Ｓ１０３）。そして、物体検知センサ８が物体を検知した場合（Ｓ１０４のＹＥＳ）、現在吐水中か否かを判定する（Ｓ１０５）。止水状態である場合（Ｓ１０５のＮＯ）、電磁弁２６を開駆動して吐水開始してからスタートへ戻る（Ｓ１０６）。既に吐水状態となっていた場合（Ｓ１０５のＹＥＳ）、そのままスタートへ戻る。
【００３６】
ステップＳ１０４で、物体検知センサ８が物体を検知しなかった場合（Ｓ１０４のＮＯ）、現在吐水中か否かを判定する（Ｓ１０７）。吐水状態である場合（Ｓ１０７のＹＥＳ）、電磁弁２６を閉駆動して止水してからスタートへ戻る（Ｓ１０８）。既に止水状態となっていた場合（Ｓ１０７のＮＯ）、そのままスタートへ戻る。
【００３７】
ステップＳ１０２で、現在の吐水モードが連続吐水モードであれば、現在吐水中か否かを判定する（Ｓ１０９）。止水状態である場合（Ｓ１０９のＮＯ）、延長フラグを０にクリアして、電磁弁２６を開駆動して吐水開始し、吐水タイマを０から計測開始してから（Ｓ１１０）、ステップＳ１１１へと進む。既に吐水状態となっていた場合（Ｓ１０９のＹＥＳ）、そのままステップＳ１１１へと進む。
なお、吐水タイマは連続吐水モード中における吐水時間を計測するタイマである。
【００３８】
ステップＳ１１１では、物体検知センサ８を駆動させる。そして、物体検知センサ８が物体を検知した場合（Ｓ１１２のＹＥＳ）、延長フラグを１にセットして（Ｓ１１３）、ステップＳ１１４へと進む。検知しなかった場合（Ｓ１１２のＮＯ）、そのままステップＳ１１４へと進む。
【００３９】
ステップＳ１１４では、吐水タイマが１０分を経過したか否かをチェックし、１０分を経過していれば（Ｓ１１４のＹＥＳ）、延長フラグのチェックをする（Ｓ１１５）。延長フラグが１にセットされていれば（Ｓ１１５のＹＥＳ）、次は吐水タイマが１５分を経過したか否かをチェックする（Ｓ１１６）。１５分を経過していて（Ｓ１１６のＹＥＳ）、物体検知センサ８が物体を検知していなかった場合（Ｓ１１７のＮＯ）、延長フラグの０クリアと、電磁弁２６の閉駆動による止水と、吐水タイマをストップして吐水時間の計測停止と、吐水モードを自動吐水モードに切り替える処理を行って、スタートへ戻る（Ｓ１１８）。物体検知センサ８が物体を検知していた場合（Ｓ１１７のＹＥＳ）、そのままスタートへ戻る。
【００４０】
ステップＳ１１４で、吐水タイマが１０分を経過していなかった場合（Ｓ１１４のＮＯ）、そのままスタートへ戻る。
ステップＳ１１５で、延長フラグが１にセットされていなかった場合（Ｓ１１５のＮＯ）、ステップＳ１１７へ進む。
ステップＳ１１６で、吐水タイマが１５分を経過していなかった場合（Ｓ１１６のＮＯ）、そのままスタートへ戻る。
【００４１】
図４のフローチャートでのポイントは、連続吐水モードにおける１０分間の連続吐水中に物体検知センサ８が物体を検知すると、連続吐水時間を１５分に延長している点である。
【００４２】
図５は、第１の実施形態にかかる自動水栓の動作を示すタイムチャートであり、特に、連続吐水時間を延長する場合の動作を示している。
【００４３】
モード切替スイッチ５１の操作によって、吐水モードが連続吐水モードに切り替えられると、電磁弁２６を開駆動して連続吐水を開始する（時刻Ｔ１０）。この連続吐水は所定時間である１０分を経過すると止水するが、この１０分の間に物体検知センサ８が物体を検知すると（時刻Ｔ１１から時刻Ｔ１２）、連続吐水は１０分を経過しても終了せずに（時刻Ｔ１３）、延長時間として５分が追加され、連続吐水時間を延長する。そして、時刻Ｔ１０からの連続吐水時間が１５分を経過すると、電磁弁２６を閉駆動して止水し、吐水モードを自動吐水モードに切り替える（時刻Ｔ１４）。
【００４４】
なお、本実施形態では、連続吐水時間の所定時間を１０分、連続吐水時間の延長時間を５分としているが、設定する時間の長さはこれに限られることなく、必要に応じて適宜変更してもよい。
【００４５】
このように、自動吐水モード時だけでなく、連続吐水モード時においても物体検知センサ８を駆動させて物体の検知状況を把握することで、連続吐水モード中の使用者の動きを把握することができる。
【００４６】
食器洗い行為や洗顔行為を連続吐水モードで行った場合、食器や手などの物体が吐水口３０近傍に頻繁に出入りすることになり、本実施例では図５のタイムチャートの時刻Ｔ１１から時刻Ｔ１２の期間に、これらの行為中に食器や手などを検知したことを意味している。
つまり、連続吐水モード中に物体を検知したということは、吐水口３０近傍で使用者が何かしらの行為をしている最中ということであり、その場合は、連続吐水時間を延長することで、その行為中に連続吐水が終了してしまうのを防止することができる。
【００４７】
また、使用者は連続吐水時間を延長させるためにスイッチ操作などの余分な動作を必要とせず、通常通りに使用している中で、自動で吐水時間が延長されることとなる。
【００４８】
より具体的には、食器洗い行為中においては、吐水口３０近傍に出し入れされる食器や手を検知することで連続吐水時間を延長するので、食器洗い行為中に連続吐水が終了することがなくなる。
洗顔行為中においては、顔をすすいでいるときに吐水口３０近傍に出し入れされる手を検知することで連続吐水時間を延長するので、洗顔行為中に連続吐水が終了することがなくなる。
このようにして、使用者に余分な操作をさせずに最適時間での連続吐水ができる。
【００４９】
（第２の実施形態）
ここからは、第２の実施形態について説明する。
第２の実施形態による自動水栓２の基本構成については、図１の模式図、図２のブロック図、図３の模式図を参照しつつ説明した内容と同様でよいため、その説明は省略する。
【００５０】
図６は、第２の実施形態にかかる自動水栓の動作を示すフローチャートである。図６のフローチャートは、図４で説明したフローチャートの処理内容を一部変更したものであり、図４のステップＳ１００からステップＳ１０８までの処理は本実施形態でも同様であるため、その説明は省略する。
【００５１】
本実施形態では、ステップＳ１０２の吐水モード判定で、連続吐水モードと判定した以降の処理が図４とは異なるため、図６ではその部分のフローチャートを示している。
ステップＳ１０２で、現在の吐水モードが連続吐水モードであれば、現在吐水中か否かを判定する（Ｓ２００）。止水状態である場合（Ｓ２００のＮＯ）、検知タイマをストップして計測停止し、延長時間を０リセットし、電磁弁２６を開駆動して吐水開始し、吐水タイマを０から計測開始してから（Ｓ２０１）、ステップＳ２０２へと進む。既に吐水状態となっていた場合（Ｓ２００のＹＥＳ）、そのままステップＳ２０２へと進む。
【００５２】
なお、検知タイマは物体検知センサ８が物体を検知していた時間を計測するタイマであり、吐水タイマは連続吐水モード中における吐水時間を計測するタイマであり、延長時間は吐水時間を延長する長さを設定する時間である。
【００５３】
ステップＳ２０２では、物体検知センサ８を駆動させる。そして、物体検知センサ８が物体を検知した場合（Ｓ２０３のＹＥＳ）、検知タイマが計測中か否かをチェックする（Ｓ２０４）。計測中でなければ（Ｓ２０４のＮＯ）、検知タイマを０から計測開始して（Ｓ２０５）、ステップＳ２０９へと進む。計測中であれば（Ｓ２０４のＹＥＳ）、そのままステップＳ２０９へと進む。
【００５４】
ステップＳ２０３で、物体検知センサ８が物体を検知しなかった場合（Ｓ２０３のＮＯ）、検知タイマが計測中か否かをチェックする（Ｓ２０６）。計測中であれば（Ｓ２０６のＹＥＳ）、検知タイマをストップして計測停止して（ステップＳ２０７）、現在設定されている延長時間と現在の検知タイマ値を加算した時間を新たな延長時間として設定して（Ｓ２０８）、ステップＳ２０９へと進む。検知タイマを計測中でなければ（Ｓ２０６のＮＯ）、そのままステップＳ２０９へと進む。
【００５５】
ステップＳ２０９では、吐水タイマが１０分と延長時間を合計した時間を経過したか否かをチェックし、その時間を経過していれば（Ｓ２０９のＹＥＳ）、物体検知センサ８が物体を検知していたか否かをチェックし（Ｓ２１０）、物体を検知していなかった場合（Ｓ２１０のＮＯ）、延長時間の０リセットと、電磁弁２６の閉駆動による止水と、吐水タイマをストップして吐水時間の計測停止と、吐水モードを自動吐水モードに切り替える処理を行って、スタートへ戻る（Ｓ２１１）。物体検知センサ８が物体を検知していた場合（Ｓ２１０のＹＥＳ）、そのままスタートへ戻る。
ステップＳ２０９で、吐水タイマが１０分と延長時間を合計した時間を経過していなかった場合（Ｓ２０９のＮＯ）、そのままスタートへ戻る。
【００５６】
図６のフローチャートでのポイントは、連続吐水モードにおける１０分間の連続吐水中に物体検知センサ８が物体を検知した期間に基づいて、連続吐水時間を延長している点である。
【００５７】
図７は、第２の実施形態にかかる自動水栓の動作を示すタイムチャートであり、特に、連続吐水時間を延長する場合の動作を示している。
【００５８】
モード切替スイッチ５１の操作によって、吐水モードが連続吐水モードに切り替えられると、電磁弁２６を開駆動して連続吐水を開始する（時刻Ｔ２０）。この連続吐水は所定時間である１０分を経過すると止水するが、この１０分の間に物体検知センサ８が物体を検知すると（時刻Ｔ２１から時刻Ｔ２２）、連続吐水は１０分を経過しても終了せずに（時刻Ｔ２３）、延長時間とし３分が追加され、連続吐水時間を延長する。延長時間は、物体検知センサ８が物体を検知していた期間に基づいて設定されており、本実施形態では、物体を検知していた期間（時刻Ｔ２１から時刻Ｔ２２）をそのまま延長時間として設定している。
【００５９】
そして、時刻Ｔ２０からの連続吐水時間が１３分を経過すると、電磁弁２６を閉駆動して止水し、吐水モードを自動吐水モードに切り替える（時刻Ｔ２４）。
【００６０】
なお、本実施形態では、連続吐水時間の所定時間を１０分としているが、設定する時間の長さはこれに限られることなく、必要に応じて適宜変更してもよい。
更に、本実施形態では、延長時間の設定について、物体を検知していた期間をそのまま延長時間に設定しているが、設定方法はこれに限られることなく、検知期間に対して演算処理を行って、適宜変更してもよい。例えば、検知期間を２倍した値を延長時間にしたり、検知期間を半分にした値を延長時間としてもよい。
【００６１】
このように、物体の検知期間に基づいて連続吐水時間の延長時間を設定していることから、検知期間が長ければ現在の行為が終了するまでの時間も長くなることが予想できるので延長時間も長くして、検知期間が短ければ現在の行為が終了するまでの時間も短くなることが予想できるので延長時間を短くすることができる。
つまり、検知期間に基づいて使用者の使用状況がより詳細に把握できるので、より最適な延長時間が設定できる。
【００６２】
（第３の実施形態）
ここからは、第３の実施形態について説明する。
第３の実施形態による自動水栓２の基本構成については、図１の模式図、図２のブロック図、図３の模式図を参照しつつ説明した内容と同様でよいため、その説明は省略する。
【００６３】
図８は、第３の実施形態にかかる自動水栓の動作を示すフローチャートである。図８のフローチャートは、図４で説明したフローチャートの処理内容を一部変更したものであり、図４のステップＳ１００からステップＳ１０８までの処理は本実施形態でも同様であるため、その説明は省略する。
【００６４】
本実施形態では、ステップＳ１０２の吐水モード判定で、連続吐水モードと判定した以降の処理が図４とは異なるため、図８ではその部分のフローチャートを示している。
ステップＳ１０２で、現在の吐水モードが連続吐水モードであれば、現在吐水中か否かを判定する（Ｓ３００）。止水状態である場合（Ｓ３００のＮＯ）、検知継続フラグを０クリアし、検知回数を０リセットし、延長時間を０リセットし、電磁弁２６を開駆動して吐水開始し、吐水タイマを０から計測開始してから（Ｓ３０１）、ステップＳ３０２へと進む。既に吐水状態となっていた場合（Ｓ３００のＹＥＳ）、そのままステップＳ３０２へと進む。
【００６５】
なお、検知回数は物体検知センサ８が物体を検知した回数であり、吐水タイマは連続吐水モード中における吐水時間を計測するタイマであり、延長時間は吐水時間を延長する長さを設定する時間である。
ステップＳ３０２では、物体検知センサ８を駆動させる。そして、物体検知センサ８が物体を検知した場合（Ｓ３０３のＹＥＳ）、検知継続フラグが１にセットされているか否かをチェックする（Ｓ３０４）。１にセットされていなければ（Ｓ３０４のＮＯ）、検知継続フラグを１にセットして（Ｓ３０５）、検知回数を１回加算して（Ｓ３０６）、検知回数の値を新たな延長時間として分単位で設定して（Ｓ３０７）、ステップＳ３０９へと進む。検知継続フラグが１にセットされていた場合（Ｓ３０４のＹＥＳ）、そのままステップＳ３０９へと進む。
ステップＳ３０３で、物体検知センサ８が物体を検知しなかった場合（Ｓ３０３のＮＯ）、検知継続フラグを０クリアして（Ｓ３０８）、ステップＳ３０９へと進む。
【００６６】
ステップＳ３０９では、吐水タイマが１０分と延長時間を合計した時間を経過したか否かをチェックし、その時間を経過していれば（Ｓ３０９のＹＥＳ）、物体検知センサ８が物体を検知していたか否かをチェックし（Ｓ３１０）、物体を検知していなかった場合（Ｓ３１０のＮＯ）、検知継続フラグの０クリアと、検知回数の０リセットと、延長時間の０リセットと、電磁弁２６の閉駆動による止水と、吐水タイマをストップして吐水時間の計測停止と、吐水モードを自動吐水モードに切り替える処理を行って、スタートへ戻る（Ｓ３１１）。物体検知センサ８が物体を検知していた場合（Ｓ３１０のＹＥＳ）、そのままスタートへ戻る。
【００６７】
ステップＳ３０９で、吐水タイマが１０分と延長時間を合計した時間を経過していなかった場合（Ｓ３０９のＮＯ）、そのままスタートへ戻る。
【００６８】
図８のフローチャートでのポイントは、連続吐水モードにおける１０分間の連続吐水中に物体検知センサ８が物体を検知した回数に基づいて、連続吐水時間を延長している点である。
【００６９】
図９は、第３の実施形態にかかる自動水栓の動作を示すタイムチャートであり、特に、連続吐水時間を延長する場合の動作を示している。
【００７０】
モード切替スイッチ５１の操作によって、吐水モードが連続吐水モードに切り替えられると、電磁弁２６を開駆動して連続吐水を開始する（時刻Ｔ３０）。この連続吐水は所定時間である１０分を経過すると止水するが、この１０分の間に物体検知センサ８が物体を検知すると（時刻Ｔ３１から時刻Ｔ３２）、連続吐水は１０分を経過しても終了せずに（時刻Ｔ３３）、延長時間として３分が追加され、連続吐水時間を延長する。延長時間は、物体検知センサ８が物体を検知した回数に基づいて設定されており、本実施形態では、時刻Ｔ３１から時刻Ｔ３２の期間に検知した回数である３回をそのまま延長時間として分単位で設定している。
【００７１】
そして、時刻Ｔ３０からの連続吐水時間が１３分を経過すると、電磁弁２６を閉駆動して止水し、吐水モードを自動吐水モードに切り替える（時刻Ｔ３４）。
【００７２】
なお、本実施形態では、連続吐水時間の所定時間を１０分としているが、設定する時間の長さはこれに限られることなく、必要に応じて適宜変更してもよい。
更に、本実施形態では、延長時間の設定について、物体を検知した回数をそのまま延長時間として分単位で設定しているが、設定方法はこれに限られることなく、検知回数に対して演算処理を行って、適宜変更してもよい。例えば、検知回数を２倍した値を延長時間として分単位で設定したり、検知回数を半分にした値を延長時間として分単位で設定してもよい。
【００７３】
このように、物体の検知回数に基づいて連続吐水時間の延長時間を設定していることから、検知回数が多ければ現在の行為が終了するまでの時間が長くなることが予想できるので延長時間も長くして、検知回数が少なければ現在の行為が終了するまでの時間が短くなることが予想できるので延長時間を短くすることができる。
つまり、検知回数に基づいて使用者の使用状況がより詳細に把握できるので、より最適な延長時間が設定できる。
【００７４】
（第４の実施形態）
ここからは、第４の実施形態について説明する。
第４の実施形態による自動水栓２の基本構成については、図１の模式図、図２のブロック図、図３の模式図を参照しつつ説明した内容と同様でよいため、その説明は省略する。
【００７５】
図１０は、第４の実施形態にかかる自動水栓の動作を示すフローチャートである。図１０のフローチャートは、図４で説明したフローチャートの処理内容を一部変更したものであり、図４のステップＳ１００からステップＳ１０８までの処理は本実施形態でも同様であるため、その説明は省略する。
【００７６】
本実施形態では、ステップＳ１０２の吐水モード判定で、連続吐水モードと判定した以降の処理が図４とは異なるため、図１０ではその部分のフローチャートを示している。
ステップＳ１０２で、現在の吐水モードが連続吐水モードであれば、現在吐水中か否かを判定する（Ｓ４００）。止水状態である場合（Ｓ４００のＮＯ）、延長時間を０リセットし、電磁弁２６を開駆動して吐水開始し、吐水タイマを０から計測開始してから（Ｓ４０１）、ステップＳ４０２へと進む。既に吐水状態となっていた場合（Ｓ４００のＹＥＳ）、そのままステップＳ４０２へと進む。
なお、吐水タイマは連続吐水モード中における吐水時間を計測するタイマであり、延長時間は吐水時間を延長する長さを設定する時間である。
【００７７】
ステップＳ４０２では、物体検知センサ８を駆動させる。そして、物体検知センサ８が物体を検知した場合（Ｓ４０３のＹＥＳ）、現在の吐水タイマ値を新たな延長時間として設定して（Ｓ４０４）、ステップＳ４０５へと進む。物体検知センサ８が物体を検知しなかった場合（Ｓ４０３のＮＯ）、そのままステップＳ４０５へと進む。
ステップＳ４０５では、吐水タイマが１０分と延長時間を合計した時間を経過したか否かをチェックし、その時間を経過していれば（Ｓ４０５のＹＥＳ）、物体検知センサ８が物体を検知していたか否かをチェックし（Ｓ４０６）、物体を検知していなかった場合（Ｓ４０６のＮＯ）、延長時間の０リセットと、電磁弁２６の閉駆動による止水と、吐水タイマをストップして吐水時間の計測停止と、吐水モードを自動吐水モードに切り替える処理を行って、スタートへ戻る（Ｓ４０７）。物体検知センサ８が物体を検知していた場合（Ｓ４０６のＹＥＳ）、そのままスタートへ戻る。
ステップＳ４０５で、吐水タイマが１０分と延長時間を合計した時間を経過していなかった場合（Ｓ４０５のＮＯ）、そのままスタートへ戻る。
【００７８】
図１０のフローチャートでのポイントは、連続吐水モードにおける１０分間の連続吐水中に物体検知センサ８が物体を検知した時刻に基づいて、連続吐水時間を延長している点である。
【００７９】
図１１は、第４の実施形態にかかる自動水栓の動作を示すタイムチャートであり、特に、連続吐水時間を延長する場合の動作を示している。
モード切替スイッチ５１の操作によって、吐水モードが連続吐水モードに切り替えられると、電磁弁２６を開駆動して連続吐水を開始する（時刻Ｔ４０）。この連続吐水は所定時間である１０分を経過すると止水するが、この１０分の間に物体検知センサ８が物体を検知すると（時刻Ｔ４１から時刻Ｔ４２）、連続吐水は１０分を経過しても終了せずに（時刻Ｔ４３）、延長時間として５分が追加され、連続吐水時間を延長する。延長時間は、物体検知センサ８が物体を検知した時刻に基づいて設定されており、本実施形態では、吐水開始（時刻Ｔ４０）を起点として物体を検知していた最後の時刻（時刻Ｔ４２）をそのまま延長時間として設定している。
【００８０】
そして、時刻Ｔ４０からの連続吐水時間が１５分を経過すると、電磁弁２６を閉駆動して止水し、吐水モードを自動吐水モードに切り替える（時刻Ｔ４４）。
【００８１】
なお、本実施形態では、連続吐水時間の所定時間を１０分としているが、設定する時間の長さはこれに限られることなく、必要に応じて適宜変更してもよい。
更に、本実施形態では、延長時間の設定について、最後に物体を検知した時刻をそのまま延長時間として設定しているが、設定方法はこれに限られることなく、検知時刻に対して演算処理を行って、適宜変更してもよい。例えば、検知時刻を２倍した値を延長時間にしたり、検知時刻を半分にした値を延長時間としてもよい。また、最後に物体を検知した時刻（時刻Ｔ４２）ではなく、最初に物体を検知した時刻（時刻Ｔ４１）を基準にして設定してもよい。
【００８２】
このように、物体の検知時刻に基づいて連続吐水時間の延長時間を設定していることから、検知時刻が遅ければ現在の行為が終了するまでの時間が長くなることが予想できるので延長時間も長くして、検知時刻が早ければ現在の行為が終了するまでの時間が短くなることが予想できるので延長時間を短くすることができる。
つまり、検知時刻に基づいて使用者の使用状況がより詳細に把握できるので、より最適な延長時間が設定できる。
【００８３】
（第５の実施形態）
ここからは、第５の実施形態について説明する。
第５の実施形態による自動水栓２の基本構成については、図１の模式図、図２のブロック図、図３の模式図を参照しつつ説明した内容と同様でよいため、その説明は省略する。
【００８４】
図１２は、第５の実施形態にかかる自動水栓の動作を示すフローチャートである。図１２のフローチャートは、図４で説明したフローチャートの処理内容を一部変更したものであり、図４のステップＳ１００からステップＳ１０８までの処理は本実施形態でも同様であるため、その説明は省略する。
【００８５】
本実施形態では、ステップＳ１０２の吐水モード判定で、連続吐水モードと判定した以降の処理が図４とは異なるため、図１２ではその部分のフローチャートを示している。
ステップＳ１０２で、現在の吐水モードが連続吐水モードであれば、現在吐水中か否かを判定する（Ｓ５００）。止水状態である場合（Ｓ５００のＮＯ）、検知間隔タイマをストップして計測停止し、現在の検知間隔タイマの値を０リセットし、検知継続フラグを０クリアし、延長時間を０リセットし、電磁弁２６を開駆動して吐水開始し、吐水タイマを０から計測開始してから（Ｓ５０１）、ステップＳ５０２へと進む。既に吐水状態となっていた場合（Ｓ５００のＹＥＳ）、そのままステップＳ５０２へと進む。
【００８６】
なお、検知間隔タイマは前回の検知時刻と今回の検知時刻の期間を計測するタイマであり、吐水タイマは連続吐水モード中における吐水時間を計測するタイマであり、延長時間は吐水時間を延長する長さを設定する時間である。
ステップＳ５０２では、物体検知センサ８を駆動させる。そして、物体検知センサ８が物体を検知した場合（Ｓ５０３のＹＥＳ）、検知継続フラグが１にセットされているか否かをチェックする（Ｓ５０４）。１にセットされていなければ（Ｓ５０４のＮＯ）、検知継続フラグを１にセットして（Ｓ５０５）、現在の検知間隔タイマの値を新たな延長時間として設定して（Ｓ５０６）、検知間隔タイマを０から計測開始して（Ｓ５０７）、ステップＳ５０９へと進む。検知継続フラグが１にセットされていた場合（Ｓ５０４のＹＥＳ）、そのままステップＳ５０９へと進む。
【００８７】
ステップＳ５０３で、物体検知センサ８が物体を検知しなかった場合（Ｓ５０３のＮＯ）、検知継続フラグを０クリアして（Ｓ５０８）、ステップＳ５０９へと進む。
ステップＳ５０９では、吐水タイマが１０分と延長時間を合計した時間を経過したか否かをチェックし、その時間を経過していれば（Ｓ５０９のＹＥＳ）、物体検知センサ８が物体を検知していたか否かをチェックし（Ｓ５１０）、物体を検知していなかった場合（Ｓ５１０のＮＯ）、検知間隔タイマのストップと、検知間隔タイマ値の０リセットと、検知継続フラグの０クリアと、延長時間の０リセットと、電磁弁２６の閉駆動による止水と、吐水タイマをストップして吐水時間の計測停止と、吐水モードを自動吐水モードに切り替える処理を行って、スタートへ戻る（Ｓ５１１）。物体検知センサ８が物体を検知していた場合（Ｓ５１０のＹＥＳ）、そのままスタートへ戻る。
ステップＳ５０９で、吐水タイマが１０分と延長時間を合計した時間を経過していなかった場合（Ｓ５０９のＮＯ）、そのままスタートへ戻る。
【００８８】
図１２のフローチャートでのポイントは、連続吐水モードにおける１０分間の連続吐水中に物体検知センサ８が物体を検知した間隔時間に基づいて、連続吐水時間を延長している点である。
【００８９】
図１３は、第５の実施形態にかかる自動水栓の動作を示すタイムチャートであり、特に、連続吐水時間を延長する場合の動作を示している。
【００９０】
モード切替スイッチ５１の操作によって、吐水モードが連続吐水モードに切り替えられると、電磁弁２６を開駆動して連続吐水を開始する（時刻Ｔ５０）。この連続吐水は所定時間である１０分を経過すると止水するが、この１０分の間に物体検知センサ８が物体を検知すると（時刻Ｔ５１から時刻Ｔ５４）、連続吐水は１０分を経過しても終了せずに（時刻Ｔ５５）、延長時間として５分が追加され、連続吐水時間を延長する。延長時間は、物体検知センサ８が物体を検知した前回の時刻と今回の時刻である検知の間隔時間に基づいて設定されており、本実施形態では、前回物体を検知開始した時刻（時刻Ｔ５１）から今回物体を検知開始した時刻（時刻Ｔ５３）までの時間をそのまま延長時間として設定している。
そして、時刻Ｔ５０からの連続吐水時間が１５分を経過すると、電磁弁２６を閉駆動して止水し、吐水モードを自動吐水モードに切り替える（時刻Ｔ５６）。
【００９１】
なお、本実施形態では、連続吐水時間の所定時間を１０分としているが、設定する時間の長さはこれに限られることなく、必要に応じて適宜変更してもよい。
更に、本実施形態では、延長時間の設定について、前回物体を検知開始した時刻（時刻Ｔ５１）から今回物体を検知開始した時刻（時刻Ｔ５３）までの間隔時間をそのまま延長時間として設定しているが、設定方法はこれに限られることなく、間隔時間に対して演算処理を行って、適宜変更してもよい。例えば、間隔時間を２倍した値を延長時間にしたり、間隔時間を半分にした値を延長時間としてもよい。また、物体を検知開始した時刻（時刻Ｔ５１と時刻Ｔ５３）ではなく、物体を検知終了した時刻（時刻Ｔ５２と時刻Ｔ５４）の間隔時間に基づいて設定してもよい。
【００９２】
このように、物体の検知間隔時間に基づいて連続吐水時間の延長時間を設定していることから、検知間隔時間が長ければ現在の行為が終了するまでの時間も長くなることが予想できるので延長時間も長くして、検知間隔時間が短ければ現在の行為が終了するまでの時間も短くなることが予想できるので延長時間を短くすることができる。
つまり、検知間隔時間に基づいて使用者の使用状況がより詳細に把握できるので、より最適な延長時間が設定できる。
【００９３】
（第６の実施形態）
ここからは、第６の実施形態について説明する。
第６の実施形態による自動水栓２の基本構成については、図１の模式図、図２のブロック図、図３の模式図を参照しつつ説明した内容と同様でよいため、その説明は省略する。
【００９４】
図１４は、第６の実施形態にかかる自動水栓の動作を示すフローチャートである。図１４のフローチャートは、図４で説明したフローチャートの処理内容を一部変更したものであり、図４のステップＳ１００からステップＳ１０８までの処理は本実施形態でも同様であるため、その説明は省略する。
本実施形態では、ステップＳ１０２の吐水モード判定で、連続吐水モードと判定した以降の処理が図４とは異なるため、図１４ではその部分のフローチャートを示している。
ステップＳ１０２で、現在の吐水モードが連続吐水モードであれば、現在吐水中か否かを判定する（Ｓ６００）。止水状態である場合（Ｓ６００のＮＯ）、延長フラグを０クリアし、再延長フラグを０クリアし、電磁弁２６を開駆動して吐水開始し、吐水タイマを０から計測開始してから（Ｓ６０１）、ステップＳ６０２へと進む。既に吐水状態となっていた場合（Ｓ６００のＹＥＳ）、そのままステップＳ６０２へと進む。
なお、吐水タイマは連続吐水モード中における吐水時間を計測するタイマである。
【００９５】
ステップＳ６０２では、物体検知センサ８を駆動させる。そして、物体検知センサ８が物体を検知した場合（Ｓ６０３のＹＥＳ）、延長フラグを１にセットして（Ｓ６０４）、ステップＳ６０５へと進む。物体検知センサ８が物体を検知しなかった場合（Ｓ６０３のＮＯ）、そのままステップＳ６０５へと進む。
ステップＳ６０５では、吐水タイマが１０分を経過したか否かをチェックし、その時間を経過していれば（Ｓ６０５のＹＥＳ）、延長フラグが１にセットされているか否かをチェックする（Ｓ６０６）。延長フラグが１にセットされていれば（Ｓ６０６のＹＥＳ）、物体検知センサ８が物体を検知していたか否かをチェックし（Ｓ６０７）、物体を検知していた場合（Ｓ６０７のＹＥＳ）、再延長フラグを１にセットして（Ｓ６０８）、ステップＳ６０９へと進む。物体検知センサ８が物体を検知していなかった場合（Ｓ６０７のＮＯ）、そのままステップＳ６０９へと進む。
【００９６】
ステップＳ６０５で、吐水タイマが１０分を経過していなければ（Ｓ６０５のＮＯ）、そのままスタートへ戻る。
ステップＳ６０６で、延長フラグが１にセットされていなければ（Ｓ６０６のＮＯ）、ステップＳ６１２へと進む。
【００９７】
ステップＳ６０９では、吐水タイマが１５分を経過したか否かをチェックし、その時間を経過していれば（Ｓ６０９のＹＥＳ）、再延長フラグが１にセットされているか否かをチェックする（Ｓ６１０）。再延長フラグが１にセットされていれば（Ｓ６１０のＹＥＳ）、吐水タイマが２０分を経過したか否かをチェックする（Ｓ６１１）。２０分を経過していれば（Ｓ６１１のＹＥＳ）、物体検知センサ８が物体を検知していたか否かをチェックし（Ｓ６１２）、物体を検知していなかった場合（Ｓ６１２のＮＯ）、延長フラグの０クリアと、再延長フラグの０クリアと、電磁弁２６の閉駆動による止水と、吐水タイマをストップして吐水時間の計測停止と、吐水モードを自動吐水モードに切り替える処理を行って、スタートへ戻る（Ｓ６１３）。物体検知センサ８が物体を検知していた場合（Ｓ６１２のＹＥＳ）、そのままスタートへ戻る。
ステップＳ６０９で、吐水タイマが１５分を経過していなかった場合（Ｓ６０９のＮＯ）、そのままスタートへ戻る。
ステップＳ６１０で、再延長フラグが１にセットされていなかった場合（Ｓ６１０のＮＯ）、ステップＳ６１２へと進む。
ステップＳ６１１で、吐水タイマが２０分を経過していなかった場合（Ｓ６１１のＮＯ）、そのままスタートへ戻る。
【００９８】
図１４のフローチャートでのポイントは、連続吐水モードにおける１０分間の連続吐水中に物体検知センサ８が物体を検知すると、連続吐水時間を１５分に延長し、更にその延長期間中に物体検知センサ８が物体を検知すると、更に連続吐水時間を２０分に再延長している点である。
【００９９】
図１５は、第６の実施形態にかかる自動水栓の動作を示すタイムチャートであり、特に、連続吐水時間を再延長する場合の動作を示している。
モード切替スイッチ５１の操作によって、吐水モードが連続吐水モードに切り替えられると、電磁弁２６を開駆動して連続吐水を開始する（時刻Ｔ６０）。この連続吐水は所定時間である１０分を経過すると止水するが、この１０分の間に物体検知センサ８が物体を検知すると（時刻Ｔ６１から時刻Ｔ６２）、連続吐水は１０分を経過しても終了せずに（時刻Ｔ６３）、延長時間として５分が追加され、連続吐水時間を延長する。
【０１００】
吐水時間を延長している期間中に、再び物体検知センサ８が物体を検知すると（時刻Ｔ６４から時刻Ｔ６５）、連続吐水は延長時間である１５分を経過しても終了せずに（時刻Ｔ６６）、再延長時間として更に５分が追加され、連続吐水時間を再延長する。
そして、時刻Ｔ６０からの連続吐水時間が２０分を経過すると、電磁弁２６を閉駆動して止水し、吐水モードを自動吐水モードに切り替える（時刻Ｔ６７）。
【０１０１】
なお、本実施形態では、連続吐水時間の所定時間を１０分、連続吐水時間の延長時間を５分、連続吐水時間の再延長時間を５分としているが、設定する時間の長さはこれに限られることなく、必要に応じて適宜変更してもよい。
【０１０２】
このように、連続吐水の延長期間中に再度物体を検知した場合は延長期間経過後も使用者の一連行為が続くことが予想できるので、その場合は連続吐水時間を再延長する。
つまり、１度の連続吐水時間の延長では時間が足りないような使用時間が長い行為においては、連続吐水の再延長を可能とすることで、使用中に連続吐水が終了してしまうことがない。
【０１０３】
（第７の実施形態）
ここからは、第７の実施形態について説明する。
図１６は、第７の実施形態にかかる操作パネルを例示する模式図である。
図１７は、第７の実施形態にかかる自動水栓を例示するブロック図である。
【０１０４】
第７の実施形態にかかる自動水栓２は、吐止水を手動で制御する手動吐止水操作部として吐止水レバー６０と連続吐水スイッチ６１が追加されている点で第１の実施形態と異なる。その他の構成については、図１の模式図、図２のブロック図、図３の模式図を参照しつつ説明した内容と同様でよいため、その説明は省略する。
【０１０５】
図１６に示すように、本実施形態の自動水栓２には、手動吐止水操作部として操作パネル５０上に吐止水レバー６０と連続吐水スイッチ６１とが追加されている。
連続吐水スイッチ６１は、連続吐水モード中における吐止水動作ができ、手動でスイッチを押す毎に、吐水口３０からの吐水と止水が繰り返される。より具体的には、スイッチを押す毎に、電磁弁２６の開閉駆動を繰り返す。
【０１０６】
吐止水レバー６０も、手動操作によって吐止水動作ができるものであるが、こちらは、自動吐水モード中でも連続吐水モード中でも動作可能となっている。
つまり、自動吐水モードで吐水中の場合、吐止水レバー６０を開けていれば吐水口３０からの吐水状態を継続し、吐止水レバー６０を閉めると強制的に止水状態にできる。自動吐水モードで止水中の場合、吐止水レバー６０を開けていても閉めていても止水状態を継続する。
また、連続吐水モードの場合、吐止水レバー６０を開けていれば吐水口３０からの吐水状態を継続し、吐止水レバー６０を閉めると強制的に止水状態にできる。
【０１０７】
図１７に示すように、連続吐水スイッチ６１は配線６４によって制御部２４と接続されており、吐止水レバー６０は給水ホース５２の経路に設けられている。なお、吐止水レバー６０は給水ホース５３の経路に設けられていてもよい。
【０１０８】
このように、物体検知センサ８の検知状況に関係なく使用者が吐止水を手動で制御できるようになることから、自動吐水モード中においては、物体検知センサ８の検知領域１２である吐水口３０近傍に何かしらの物を一時的に置いておきたいときは、吐止水レバー６０を閉めておけば、吐水口３０から勝手に吐水してしまうことがなくなる。
連続吐水モード中においては、食器洗い行為の中で食器をスポンジで洗っているときや、洗顔行為の中で洗顔料を顔につけているときは、吐止水レバー６０を閉めておくか連続吐水スイッチ６１を操作することで、一時的に止水することができる。
つまり、自動吐水モード中においては不用意な吐水を防止することができ、連続吐水モード中においては使用者の一連行為の中で吐水が不要なタイミングでは一時的に止水することができるので無駄水を防止できる。
【０１０９】
（第８の実施形態）
ここからは、第８の実施形態について説明する。
第８の実施形態による自動水栓２の基本構成については、図１の模式図、図２のブロック図、図３の模式図を参照しつつ説明した内容と同様でよいため、その説明は省略する。
【０１１０】
図１８は、第８の実施形態にかかる物体検知センサの検知領域を例示する模式図である。
図１８（ａ）は、自動吐水モード時における、物体検知センサ８の検知領域１２を示しており、図１８（ｂ）は、連続吐水モード時における、物体検知センサ８の検知領域６２を示している。連続吐水モード時における検知領域６２は、自動吐水モード時における検知領域１２よりも広くなっている。
【０１１１】
検知領域を広くする方法としては、例えば、投光素子２０の投光パワーを上げたり、受光素子２２の感度を上げたり、物体有りと判断するためのしきい値を小さくすれば、制御部２４のプログラムを変更するだけで実現可能である。つまり、自動吐水モード時と、連続吐水モード時とで制御部２４の実行プログラムを分岐しておけば、１つの自動水栓２で検知領域を２パターン設けることが可能となる。
【０１１２】
このように、連続吐水モード時における検知領域を広くすることで、より広範囲に使用者の動きを検知できるようになり、食器洗い行為中に吐水を必要としない位置で食器をスポンジで洗っていたり、洗顔行為中に吐水を必要としない位置で洗顔料を泡立てていたりしていても、その行為を検出することができる。
つまり、連続吐水モード時における使用者の行為をより広範囲に検知することができるので、より確実に連続吐水時間の延長をすることが可能となる。
【０１１３】
（第９の実施形態）
ここからは、第９の実施形態について説明する。
図１９は、第９の実施形態にかかる自動水栓を例示する模式図である。
第９の実施形態にかかる自動水栓２は、もう１つの物体検知センサ６が追加されている点で第１の実施形態と異なる。その他の構成については、図１の模式図、図２のブロック図、図３の模式図を参照しつつ説明した内容と同様でよいため、その説明は省略する。
【０１１４】
図１９に示すように、本実施形態の自動水栓２には、２つの物体検知センサが備わっている。
２つの物体検知センサは、水栓本体４を両側から挟み込むようにして所定間隔をおいて配置されている。１つの物体検知センサ８は第１の実施形態で説明したように検知領域１２を有しており、もう１つの物体検知センサ６も同様に検知領域１０を有している。これら２つの検知領域は、吐水口３０の吐水方向において重なり合い、重複検知領域１４を構成している。
【０１１５】
重複検知領域１４は、２つの検知領域が重なり合う領域であって、三次元的に広がっている。図１９には、２つの検知領域が、２つの物体検知センサを含み左右方向に広がる一定の断面で切断した図の領域として、概念的に示されている。
また、重複検知領域１４の水平方向外側には、２つの検知領域が重複せず、物体検知センサ６のみが物体を検知する第１単独検知領域１５ａと、物体検知センサ８のみが人体を検知する第２単独検知領域１５ｂとが形成されている。
【０１１６】
自動吐水モード中における吐水制御に関しては、２つの物体検知センサのいずれか一方でも物体を検知したときに吐水を開始するようにしてもよいし、２つとも物体を検知したときだけ吐水を開始するようにしてもよい。前者の場合はより広範囲に渡って吐水可能となり、後者の場合はより狭範囲に絞って吐水可能となる。どちらを選択するかは、洗面台１の形状やセンサの配置などによって決定してよい。
【０１１７】
そして、連続吐水モード中においては、２つの物体検知センサのいずれか一方でも物体を検知したときに連続吐水時間の延長を実行する。つまり、１つの物体検知センサの場合に比べて、連続吐水時間延長のための検知領域をより広範囲に渡って持つことになる。
なお、本実施形態では、物体検知センサの数を２つとしているが、数は２つに限らず、それ以上の数であってもよい。
【０１１８】
このように、複数の物体検知センサが存在する場合は、１つでも検知すれば連続吐水時間を延長するので、より広範囲に使用者の動きを検知できるようになり、食器洗い行為中に吐水を必要としない位置で食器をスポンジで洗っていたり、洗顔行為中に吐水を必要としない位置で洗顔料を泡立てていたりしていても、その行為を検出することができる。
つまり、連続吐水モード時における使用者の行為をより広範囲に検知することができるので、より確実に連続吐水時間の延長をすることが可能となる。
【０１１９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
例えば、自動水栓２などが備える各要素の形状、寸法、材質、配置などや各物体検知センサ、各スイッチの設置形態などは、例示したものに限定されるわけではなく適宜変更することができる。
【０１２０】
また、前述した各実施の形態が備える各要素は、技術的に可能な限りにおいて組み合わせることができ、これらを組み合わせたものも本発明の特徴を含む限り本発明の範囲に包含される。
例えば、第２の実施形態と第７の実施形態を組み合わせた制御も本発明の特徴から容易に発明可能である。
【符号の説明】
【０１２１】
１…洗面台
２…自動水栓
４…水栓本体
６…物体検知センサ
８…物体検知センサ
１０…検知領域
１２…検知領域
１４…重複検知領域
１５ａ…単独検知領域
１５ｂ…単独検知領域
２０…投光素子
２２…受光素子
２４…制御部
２６…電磁弁
２８…給水源
３０…吐水口
４３…ボウル部
５０…操作パネル
５１…モード切替スイッチ（モード切替操作部）
５２…給水ホース
５３…給水ホース
５４…配線
５５…配線
５６…配線
５７…延長手段
６０…吐止水レバー（手動吐止水操作部）
６１…連続吐水スイッチ（手動吐止水操作部）
６２…検知領域
６４…配線
【図１】
0005633862.tif 000002
【図２】
0005633862.tif 000003
【図３】
0005633862.tif 000004
【図４】
0005633862.tif 000005
【図５】
0005633862.tif 000006
【図６】
0005633862.tif 000007
【図７】
0005633862.tif 000008
【図８】
0005633862.tif 000009
【図９】
0005633862.tif 000010
【図１０】
0005633862.tif 000011
【図１１】
0005633862.tif 000012
【図１２】
0005633862.tif 000013
【図１３】
0005633862.tif 000014
【図１４】
0005633862.tif 000015
【図１５】
0005633862.tif 000016
【図１６】
0005633862.tif 000017
【図１７】
0005633862.tif 000018
【図１８】
0005633862.tif 000019
【図１９】
0005633862.tif 000020